(57)【要約】  【課題】後付であっても、少なくとも床まわりに連続性のある壁面を有効に形成できるようにした間仕切装置を提供する。【解決手段】面材であるガラス基材３１を下枠３３で支持してなるパネル３の下枠３３の一部に、ガラス基材３１の背後においてガラス基材３１の下縁よりも高い位置にまで巾木４を受容する凹部３３ｘを設け、この凹部３３ｘを巾木４に被せるように取り付けることによって、ガラス基材３１の下縁を巾木４の側面４ａに一部被るように位置づけるようにしたので、床Ｆの付近にまでガラス基材３１を拡張して、前面ガラス張りの印象が得られるようにした。  【選択図】図７
2008121267.tif 000002
【特許請求の範囲】
【請求項１】
面材を下枠で支持してなるパネルの当該下枠の一部に、面材の背後において面材の下縁よりも高い位置にまで巾木を受容する凹部を設け、この凹部を巾木に被せるように取り付けることによって、面材の下縁を巾木の側面に一部被るように位置づけてなることを特徴とする間仕切装置。
【請求項２】
面材を上枠で支持してなるパネルの当該上枠の一部に、面材の背後において面材の上端よりも低い位置にまで天井レールを受容する凹部を設け、この凹部を天井レールに被せるように取り付けることによって、面材の上縁を天井レールの側面に一部被るように位置づけてなることを特徴とする間仕切装置。
【請求項３】
面材を下枠で支持してなるパネルの当該下枠の一部に、面材の背後において面材の下縁よりも高い位置にまで巾木を受容する凹部を設け、この凹部を巾木に被せるように取り付けることによって面材の下縁を巾木の側面に一部被るように位置づけるとともに、面材を上枠で支持してなるパネルの当該上枠の一部に、面材の背後において面材の上端よりも低い位置にまで天井レールを受容する凹部を設け、この凹部を天井レールに被せるように取り付けることによって面材の上縁を天井レールの側面に一部被るように位置づけてなることを特徴とする間仕切装置。
【請求項４】
面材が２枚の板材の貼り合わせからなり、これを上枠や下枠を構成する枠材で支持するようにしたものであって、両板材の間に、少なくとも板材の上下端部において内側が大となる段差を設け、枠材に設けた凹溝に内側の板材を嵌め込み、枠材の外面と外側の板材とを面一となるように構成している請求項１〜３記載の間仕切装置。
【請求項５】
凹部内において、更に巾木の上面と下枠の下面との間にパネル厚み方向の係り合い部を設けている請求項１又は３記載の間仕切装置。
【請求項６】
係り合い部が、巾木の内向部に下枠の外向部をパネル厚み方向に係り合わせるようにしたものである請求項５記載の間仕切装置。
【請求項７】
凹部内において、更に天井レールの下面と上枠の上面との間にパネル厚み方向の係り合い部を設けている請求項２又は３記載の間仕切装置。
【請求項８】
係り合い部が、天井レールの内向部に上枠の外向部をパネル厚み方向に係り合わせるようにしたものである請求項７記載の間仕切装置。
【請求項９】
面材がガラス基材である請求項１〜８記載の間仕切装置。
【請求項１０】
巾木及び天井レールに一対のガラス基材を突き合わせて配置した両面ガラス構造である請求項９記載の間仕切装置。
【発明の詳細な説明】
【技術分野】
【０００１】
本発明は、オフィスやホール等において好適に使用される間仕切装置に関するものである。
【背景技術】
【０００２】
この種の間仕切装置は、例えば特許文献１の図３等に示されるように、床と天井の間を間仕切るべく、床に配置した巾木と天井に固定した天井レールとの間に取り付けられる。
【０００３】
この場合、最下段のパネルの下縁は中間枠におけると同様に巾木上に載せ置かれ、最上段のパネルの上縁は中間枠におけると同様に天井レールに一部呑み込ませて支持させるようにしているのが通例である。そして、巾木や天井レールの見付け部分は化粧枠で構成して、パネルの外観を向上させるようにしている。
【特許文献１】特開２００４−３１６１９１号公報
【発明の開示】
【発明が解決しようとする課題】
【０００４】
しかしながら、このような構造であると、最下段のパネルと床との間に化粧枠の上下寸法にほぼ対応したギャップができ、パネル面の連続性が巾木の手前で断たれるので、壁面全体の平面感が損なわれ易い。天井レール側も同様で、最上段のパネルと天井との間に化粧枠の上下寸法にほぼ対応したギャップができ、パネル面の連続性が天井レールの手前で断たれるので、壁面全体の平面感が損なわれ易い。特にこれらは、パネルがガラス基材を用いたものである場合、光が反射したときに見栄えの悪さが露呈するという不具合がある。
【０００５】
本発明は、このような課題に着目してなされたものであって、従来の巾木まわり、或いは天井レールまわりの構造を抜本的に見直し、後付であっても床から天井まで連続性のある壁面を有効に形成できるようにした間仕切装置を提供することを目的としている。
【課題を解決するための手段】
【０００６】
本発明は、かかる目的を達成するために、次のような手段を講じたものである。
【０００７】
すなわち、巾木まわりに関する本発明の間仕切装置は、面材を下枠で支持してなるパネルの当該下枠の一部に、面材の背後において面材の下縁よりも高い位置にまで巾木を受容する凹部を設け、この凹部を巾木に被せるように取り付けることによって、面材の下縁を巾木の側面に一部被るように位置づけてなることを特徴とする。
【０００８】
このように構成すると、パネルの下枠を巾木に載せ置く構造を維持しつつ、パネルを取り付けた状態で巾木が殆ど視認されない状態にすることができるので、可動の間仕切壁であっても後付感がなく、壁面全体にフラットなパネル面が広がる間仕切を有効に構成することができる。また、面材と巾木が重なることで、間仕切られた空間の間の遮音効果も高めることができる。
【０００９】
また、天井まわりに関する本発明の間仕切装置は、面材を上枠で支持してなるパネルの当該上枠の一部に、面材の背後において面材の上端よりも低い位置にまで天井レールを受容する凹部を設け、この凹部を天井レールに被せるように取り付けることによって、面材の上縁を天井レールの側面に一部被るように位置づけてなることを特徴とする。
【００１０】
このように構成すると、パネルの上枠を天井レールに呑み込ませる構造を維持しつつ、パネルを取り付けた状態で天井レールが殆ど視認されない状態にすることができるので、可動の間仕切壁であっても後付感がなく、壁面全体にフラットなパネル面が広がる間仕切を有効に構成することができる。また、面材と天井レールが重なることで、間仕切られた空間の間の遮音効果も高めることができる。
【００１１】
勿論、これらの構成を併用すれば、床から天井に至る全領域で上記の効果を的確に奏することができる。
【００１２】
面材が２枚の板材の貼り合わせからなり、これを上枠や下枠を構成する枠材で支持する場合には、板材に無理な加工を施すことなくパネルの美観を確保するために、両板材の間に、少なくとも板材の上下端部において内側が大となる段差を設け、枠材に設けた凹溝に内側の板材を嵌め込み、枠材の外面と外側の板材とを面一となるように構成しておくことが好ましい。
【００１３】
上記巾木まわりの構造を有効利用してパネルの位置決めや遮音効果を高めるためには、凹部内において、更に巾木の上面と下枠の下面との間にパネル厚み方向の係り合い部を設けておくことが望ましい。
【００１４】
その係り合い部は、巾木の内向部に下枠の外向部をパネル厚み方向に係り合わせるようにしたものが好適である。
【００１５】
また、上記天井まわりの構造を有効利用してパネルの位置決めや遮音効果を高めるためには、凹部内において、更に天井レールの下面と上枠の上面との間にパネル厚み方向の係り合い部を設けておくことが望ましい。
【００１６】
その係り合い部は、天井レールの内向部に上枠の外向部をパネル厚み方向に係り合わせるようにしたものが好適である。
【００１７】
本発明の好適な適用例としては、面材がガラス基材であるものが挙げられ、特に巾木及び天井レールに一対のガラス基材を突き合わせて配置した両面ガラス構造である場合に本発明の効果が顕著に奏される。
【発明の効果】
【００１８】
本発明は、以上説明した構成であるから、従来の巾木まわり、或いは天井レールにおいてパネル面を有効に拡張することができ、これにより、後付感を伴うことなく、床から天井まで、かつ幅方向のほぼ全域にガラスなどのパネル面を配することにより壁の略全面をパネル面にて構成することができ、しかも壁面ほぼ全体に平面感（フラット感）や連続感を持たせることができるので、優れた外観の壁面を有効に形成することが可能となる。
【発明を実施するための最良の形態】
【００１９】
以下、本発明の一実施形態を、図面を参照して説明する。
【００２０】
この実施形態は、図１に示すように、壁面全体をパネル３で構成するようにした間仕切装置である。
【００２１】
この間仕切装置は、図１及び図２に示すように、オフィスやフロアー等の室内空間を間仕切るべく、床Ｆに配置した巾木４と天井Ｃに固定した天井レール５との間に支柱１を立て、支柱1間に横枠２を取り付けて、けんどん方式でパネル３を着脱可能として、一部のパネル３の中抜きを可能とするものである。けんどん方式とは、先ずパネル３を若干傾けて上に位置する横枠２に対し図２に矢印Ａ１で示すように先にパネル３の上縁を差し込み、次にパネル３を鉛直姿勢に保持して下に位置する横枠２に矢印Ａ２で示すようにパネル３の下縁を載せ置くようにして取り付ける方式をいう。
【００２２】
パネル３は、図３及び図４に示すように、面材であるガラス基材３１の上下両縁にそれぞれ枠材である上枠３２及び下枠３３を、また図５及び図６に示すように当該ガラス基板３１の左右の側縁にそれぞれ枠材である縦枠３４を取り付けたものである。そして、このパネル３を、詳細は後述するが支柱1に設けた掛け止め部１１に縦枠３４に設けた爪部材３５を係り合わせるようにしており、これにより正面側及び裏面側から対をなすパネル３を掛け止めて、全体で両面ガラス構造の間仕切を構成するようにしている。
【００２３】
図７及び図８は最下段に配置されるパネル３と巾木４との係り合いの構造を、図９及び図１０は最上段に配置されるパネル３と巾木４との係り合いの構造を示している。上記図２〜図４は横枠２と当該横枠２の上下に隣接するパネル３との係り合いの構造を示したものであり、上記図５及び図６はパネル３を構成する縦枠３４の支柱1への取付構造を示したものである。
【００２４】
先ず、図７及び図８等を参照して、最下段に配置されるパネル３と巾木４との係り合いの構造について説明する。巾木４は、床Ｆに置き敷かれる上向チャネル状の内巾木部材４１に図示しないアジャスタを介して上面に凸条４２ａを有する外巾木枠材４２を嵌合させ、この外巾木枠材４２の上部に下向溝４３ａを有する補助取付材４３を当該補助取付材４３に設けた下向溝４３ａを前記突条４２ａに嵌め合わせて固定したもので、この補助取付材４３の端部からは立片４３ｂが起立している。これに対して、最下段のパネル３を構成する下枠３３は、ガラス基材３１の下縁近傍の裏面を保持する裏面保持部３３ａと、ガラス基材３１の下縁の小口を保持する小口保持部３３ｂと、巾木４の上面に垂下する垂下片３３ｃ１を有する接地部３３ｃからなり、接地部３３ｃから裏面保持部３３ａに亘る部位に、ガラス基材３１の背後において当該ガラス基材３１の下端よりも高い位置にまで巾木４を受容する凹部３３ｘが形成してある。そして、この凹部３３ｘを巾木４に被せるように取り付けることによって、ガラス基材３１の下縁を巾木４の側面４ａに一部被るように位置づけるようにしている。その際、下枠３３の下端から床Ｆまでの間に極力隙間が残らないようにすべく、ガラス基材３１で巾木４の上下方向の過半部（半分以上）を覆い得るように設定している。
【００２５】
次に、図９及び図１０等を参照して、最上段に配置されるパネル３と天井レール５との係り合いの構造について説明する。天井レール５は、天井Ｃに固定される下向チャネル状の外レール部材５１の所定位置に部分チャネル状をなす内レール部材５２を嵌合させたもので、その内レール部材５２の側壁５２ａは外レール部材５１の側壁５１ａよりも下方にまで垂下させてある。これに対して、最上段のパネル３を構成する上枠３２は、ガラス基材３１の上縁近傍の裏面を保持する裏面保持部３２ａと、ガラス基材３１の上縁の小口を保持する小口保持部３２ｂと、天井レール５の開口に一部を呑み込ませるようにして係り合わせることの可能な立片３２ｃ１を有する差し込み部３２ｃとからなり、立片３２ｃから裏面保持部３２ｂに亘る部位に、ガラス基材３１の背後において当該ガラス基材３１の上端よりも低い位置にまで天井レール５を受容する凹部３２ｘが形成してある。そして、前記立片４２ｃを天井レール５に呑み込ませるように取り付けることによって、ガラス基材３１の上端を天井レール５の側面５ａに一部被るように位置づけるようにしている。その際、上枠３２の上端から天井Ｃまでの間に極力隙間が残らないようにすべく、ガラス基材３１で天井レール５の上下方向の過半部（半分以上）を覆い得るように設定している。
【００２６】
なお、この実施形態のガラス基材３１には、２枚のガラス板材３１ａ、３１ｂを貼り合わせた、いわゆる合わせガラスを使用している。そして、これを上枠３２や下枠３３で支持するにあたり、図７〜図１０に示すように両ガラス板材３１ａ、３１ｂの間に、それらの上下端において内側の板材３１ａが外側の板材３１ｂに比して大となる段差が設けてある。そして、上枠３２及び下枠３３の小口保持部３２ｂ、３３ｂに設けた凹溝３２ｄ、３３ｄに内側のガラス板材３１ａを嵌め込むと同時に、小口保持部３２ｂ、３３ｂのうち凹溝３２ｄ、３３ｄの外側に位置する外面３２ｂ１，３３ｂ１と外側のガラス板材３１ｂの表面３ａとを面一となるように設定している。
【００２７】
そして、パネル３を巾木４に取り付けた図７の状態において、凹部３３ｘ内には巾木４の立片４３ｂを外側、下枠３３の垂下片３３ｃ１を内側として両者間にパネル厚み方向の係り合い部Ｙ１が形成され、またパネル３を天井レール５に取り付けた図９の状態において、凹部３２ｘ内には天井レール５を構成する内レール部材５２の側壁５２ａを外側、上枠３２の立片３２ｃを内側として両者間にパネル厚み方向に重合する係り合い部Ｙが形成されるようにしている。
【００２８】
また、図３及び図４等を参照して、中間部に配置されるパネル３と当該パネル３の取付先である横枠２との係り合いの構造について説明する。その際、パネル３が図２、図５及び図６に示したように巾方向両側縁を支柱1に掛け止め、パネル３の上下縁をけんどん方式で支柱１、１間に配置した横枠２に沿って取り付けられる点は上述したところである。そして、このようなけんどん方式にも関わらずパネル３の巾方向中央が前方に膨らむことを防止するために、パネル３の上下両縁を横枠２にパネル厚み方向に重合させて、パネル３の厚み方向外側への変形を規制するようにしている。
【００２９】
先ず横枠２は、図３及び図４に示すように全体がほぼ等厚に押出し成型されたもので、支柱1の奥行き寸法Ｄに合致する奥行き寸法を有し、その奥行き方向の両面に見付け面となる外壁２１を有している。これを、構造的に一対の外壁２１の中間部間を水平部２２を介して連結したものと見なした場合、水平部２２の下側には、外壁２１，２１間に下向きの垂下片２３が２箇所に設けられ、それら外壁２１と垂下片２３との間に３条の溝２４ａ、２４ｂ、２４ａを形成している。一方、水平部２２の上方には中央に前記溝２４ｂの溝底を一部深くするための突条２５が設けられ、この突条２５と外壁２１との間に２条の溝２６ａ、２６ａを形成している。
【００３０】
これに対して、例えば中段に配置されるパネル３を保持する上枠３２は、ガラス基材３１の上縁近傍の裏面を保持する裏面保持部３２ｐと、ガラス基材３１の上縁の小口を保持する小口保持部３２ｑとを有し、ガラス基材３１の背後において当該ガラス基材３１の上縁よりも低い位置にまで横枠２を受容する凹部３２ｒを形成している。この凹部３２ｒの底壁には、横枠２の溝２４ｂを形成する垂下片２３の内向面に対し、これに接触するような外向きの突条３２ｓを有する突片３２ｔが設けてあり、これら垂下片２３の内向面と外向きの突条３２ｓとが、上枠３２と横枠２とを厚み方向に重合させる本発明の重合部Ｘ１を形成している。この重合部Ｘ１の重合状態を実効あらしめるべく、上枠３２に設けた裏面保持部３２ｐの内向面が横枠２の外壁２１の外面に緊密に添接するように設定している。
【００３１】
また、下枠３３は、ガラス基材３１の下縁近傍の裏面を保持する裏面保持部３３ｐと、ガラス基材３１の下縁の小口を保持する小口保持部３３ｑとを有し、ガラス基材３１の背後において当該ガラス基材３１の下縁よりも高い位置にまで横枠２を受容する凹部３３ｒを形成している。この凹部３３ｒの上壁には、横枠２の外壁２１の内向面に接触する外向面３３ｓが設けてあり、これら外壁２１の内向面と横枠２の外向面３３ｓとが、下枠３３と横枠２とを厚み方向に重合させる本発明の重合部Ｘ２を形成している。この重合部Ｘ２の重合状態を実効あらしめるべく、下枠３３に設けた裏面保持部３３ｐの内向面が横枠２の外壁２１の外面に緊密に添接するように設定している。また、外向面３３ｓの奥側は、横枠３の溝２６ａに嵌まり込んでパネル３を実質的に支持する突条３３ｍになっている。
【００３２】
すなわち、ある位置にある横枠２を水平方向から見た場合、けんどん方式で下パネル３を外すために当該パネル３を持ち上げると、上枠３の立片３２ｔが横枠２の垂下片２３の内側を上方へ移動するに伴って、重合部Ｘ１は横枠２と上パネル３の下枠３３との重合部Ｘ２に対して高さ位置が重なる関係に設定してある。しかしながら、パネル厚み方向（図３の紙面左右方向）に沿ってこれらの重合部Ｘ１、Ｘ２が図示のように互いに変位する位置に設けてあるため、両重合部Ｘ１、Ｘ２が干渉することが回避されている。換言すると、重合部Ｘ１，Ｘ２を上下に直列に形成したならば、けんどんに必要な上下のパネル３のストロークを加算した分だけ横枠２が大型化するところ、これらの重合部Ｘ１，Ｘ２の位置を奥行き方向に分散したことで横枠２の大型化が回避されている。
【００３３】
この場合、下枠３３と横枠２との重合部Ｘ２が、上枠３２と横枠２との重合部Ｘ１よりも浅くなるように設定している。下枠３３は重合部Ｘ２において横枠２に引っ掛かっている状態からけんどんによるパネル抜脱時に重合部Ｘ２は外れるだけでよいのに対して、上枠３２はパネル抜脱時に一時的に重合部Ｘ１の呑み込みがより深くなる必要があるからである。下枠３３の外向面３３ｓは裏面保持部３３ｐとの間に横枠２の外壁２１を緊密に差し込む溝３３ｔ（図４参照）を形成している。
【００３４】
そして、この中段のパネル３の場合も、ガラス基材３１を構成する両ガラス板材３１ａ、３１ｂの間に内側が大となる段差を設けていることに対応して、上枠３２及び下枠３３の小口保持部３２ｑ、３３ｑに設けた凹溝３２ｕ、３３ｕに内側のガラス板材３１ａを嵌め込み、小口保持部３２ｑ、３３ｑの外面３２ｑ１，３３ｑ１と外側のガラス板材３１ｂの表面３ａとが面一となるように設定している。
【００３５】
さらに、図５及び図６等を参照して、パネル３の縦枠３４を支柱1に取り付ける構造について説明する。縦枠３４は、ガラス基材３１の側縁に沿った裏面を保持する裏面保持部３４ａと、ガラス基材３１の側縁の小口を保持する小口保持部３４ｂと、ガラス基材３１の背後において漸次パネル３の幅方向中央に傾斜しつつ支柱1への取付部分を覆う化粧枠部３４ｃとからなるもので、裏面保持部３４ａと化粧枠部３４ｃとの境界部分に突条３４ｄが設けてあり、この突条３４ｄと裏面保持部３４ａとの入隅部が支柱1のコーナー部に突き当てられるようにしている。前記突条３４ｄには、偏平な取付用溝３４ｚが形成してある。
【００３６】
そして、支柱1の内面に、平断面略コ字型をなしその側板上部に一対の凸状の掛け止め部１１ａを有する取付具１１を固定し、前述した取付用溝３４ｚの長手方向所定位置に、支柱1側に上下一対の係り合い部３５ａを持ち出すようにして爪部材３５を固定して、爪部材３５の係り合い部３５ａを支柱1の取付部１１に設けた掛け止め部１１ａに正面側及び裏面側から掛け止めることによって、図３等に示すように一対のパネル３を二重構造で支柱1に支持させ得るようにしている。パネル３は背合わせに枠材の内方端同士を突き合わせた状態で配置される。
【００３７】
なお、図３及び図４に示した上枠３２及び下枠３３にも前記取付溝３４ｚに対応する位置に取付溝３２ｚ、３３ｚが設けてあり、取付溝３２ｚ、３４ｚ間、および取付溝３３ｚ、３４ｚ間にそれぞれＬ字状の連結具が差し込まれて、縦枠３４と下枠３２及び上枠３３との連結がなされる。
【００３８】
以上のようにして、例えば中段のパネル３を一対の横枠２、２の間から取り外す際には、図３の状態から先ず図１１に矢印Ａ３で示すようにパネル３を持ち上げて上枠３２の立片３２ｔを突条３２ｓとともに横枠２の垂下片２３の内向面に摺動させつつ当該横枠２の溝２４ｂ内に経過的に呑み込ませ、かつ上枠３２の溝３３ｔ内に横枠２の外壁２１を経過的に飲み込ませる。このとき、下枠３３の溝３３ｔが横枠２の外壁２１の内向面との重合を解除し且つ下枠３３の突条３３ｍが横枠２の溝２６ａから離脱する位置まで移動させる。そして、同図中矢印Ａ４で示すようにパネル３をやや傾けて下枠３３を横枠２の外側方に持ち出し、さらに矢印Ａ５で示すようにパネル３を降下させ、上枠３２の立片３２ｔを突条３２ｓとともに横枠２の溝２４ｂから離脱させ、かつ上枠３２の溝３２ｒから横枠２の外壁２１を離脱させれば、パネル３を上下の横枠２，２間から中抜きすることができる。再度パネル３を嵌め込むときには、これと逆の手順に従う。
【００３９】
その際、下パネル３の上縁と上パネル３の下縁との間に存する目地の寸法と、パネル３の爪部材３５の係り合い部３５ａが支柱１に設けた取付具１１の掛け止め部１１ａから外れるための移動寸法との間には次の関係が設定されている。すなわち、図１２（ａ）に示すように上パネル３が所定取付位置にあるときに下パネル３を上方へ移動させた場合、その上縁が上パネル３の下縁に突き当たった段階で爪部材３５の係り合い部３５ａが取付具１１の掛け止め部１１ａから完全には離脱できないためにパネル３を外すことができず、このとき図１２（ｂ）に示すように上パネル３を所定取付位置から先に上方に持ち上げておくことにより始めて、爪部材３５の係り合い部３５ａを取付具１１の掛け止め部１１ａから離脱させてパネル３を支柱1から外すに足る動き代が形成されるようにしている。
【００４０】
ここで、パネル３の側縁におけるガラス基材３１と縦枠３４との取付構造について説明しておく。この実施形態では、ガラス基材３１を縦枠３４に取り付けるに際して、図５、図６及び図１３に示すようにガラス基材３１の側縁に沿った裏面３１ｖと縦枠３４の裏面保持部３４ａの前面３４ａ１との間、及び、ガラス基材３１の側縁の小口３１ｗと縦枠３４の小口保持部３４ｂの内面との間を、それぞれ適宜の素材からなる透明ないし半透明の両面テープＴ１，Ｔ２を介在させて接着している。
【００４１】
ガラス基材３１の小口３１ｗ側に貼り付ける両面テープＴ２は、内側のガラス板材３１ａの小口３１ｗでほぼ終り、外側のガラス板材３１ｂの小口３１ｗには深くは入り込まないように貼り付けられる。そして、その外側のガラス板材３１ｂの小口３１ｗには、小口保持部３４ｂの前面側の内面に設けた微小突条３４ｂ１が密接ないし近接して、正面視された場合にテープＴ２の存在を目隠しするようにしている。縦枠３４の小口保持部３４ｂは上枠３２や下枠３３の小口保持部３２ｂ、３３ｂのようにはガラス基材３１の前面側に回りこんでおらず、正面視した場合に小口保持部３４ｂの前端面３４ｂｘが外側のガラス板３１ｂの表面３ａに対して面一な状態となるようにしている。
【００４２】
一方、縦枠３４の裏面保持部３４ａの前面３４ａ１は、ガラス基材３１の側縁に近い側にあって当該ガラス基材３１の裏面３１ｖに沿った平行面１３４ｍと、ガラス基材３１の側縁（小口）から離れるにつれて漸次裏面３１ｖから離れる方向に傾斜する傾斜面１３４ｎとから構成されており、裏面保持部３４ａに貼り付けられる両面テープＴ２は、その平行面１３４ｍに主として貼り付けられ、一部が傾斜面１３４ｎに差し掛かっている。
【００４３】
この結果、両面テープＴ１，Ｔ２同士はＬ字型に配置されることとなるが、テープＴ１，Ｔ２の端部同士は縁が切れており、これら両端部と小口保持部３４ａの入隅部との間には若干隙間が存在している。また、内側のガラス板材３１ａのコーナー部には面取がしてあり、その面取部分と両テープＴ１、Ｔ２の端部との間にも微小隙間が存在している。勿論、両面テープＴ１と傾斜面１３４ｎとの間にもくさび状の微小隙間が形成されている。
【００４４】
そして、ガラス基材３１の裏面３１ｖ側に貼り付ける両面テープＴ１と、小口３１ｗ側に取り付けるテープＴ２とを、ほぼ等幅に設定し、これらのテープＴ１，Ｔ２によってガラス基材３１の側縁を縦枠３４に分担して接着保持している。
【００４５】
以上のように、本実施形態の間仕切装置は、図７及び図８に示したように面材であるガラス基材３１を下枠３３で支持してなるパネル３の当該下枠３３の一部に、ガラス基材３１の背後においてガラス基材３１の下縁よりも高い位置にまで巾木４を受容する凹部３３ｘを設け、この凹部３３ｘを巾木４に被せるように取り付けることによって、ガラス基材３１の下縁を巾木４の側面４ａに一部被るように位置づけるようにしたものである。
【００４６】
このようにすると、パネル３の下枠３３を巾木４に載せ置く構造を維持しつつ、パネル３を取り付けた状態で巾木４が殆ど視認されない状態にすることができるので、可動の間仕切壁であっても後付感がなく、壁面全体にフラットなパネル面が広がる間仕切を有効に構成することができる。また、面材であるガラス基材３１と巾木４がパネル厚み方向に重なることで、間仕切られた空間の間の遮音効果も高めることができる。
【００４７】
また、図９及び図１０に示した天井側も同様で、面材であるガラス基材３１を上枠３２で支持してなるパネル３の当該上枠３２の一部に、ガラス基材３１の背後においてガラス基材３１の上端よりも低い位置にまで天井レール５を受容する凹部３２ｘを設け、この凹部３２ｘを天井レール５に被せるように取り付けることによって、ガラス基材３１の上端を天井レール５の側面５ａに一部被るように位置づけるようにしたものである。
【００４８】
このため、パネル３の上枠３２を天井レール５に呑み込ませる構造を維持しつつ、パネル３を取り付けた状態で天井レール５が殆ど視認されない状態にすることができ、可動の間仕切壁であっても後付感がなく、壁面全体にフラットなパネル面３が広がる間仕切を有効に構成することができる。また、面材であるガラス基材３１と天井レール５とがパネル厚み方向に重なることで、間仕切られた空間の間の遮音効果も高めることができる。
【００４９】
すなわち、本実施形態は床側および天井側の双方にこれらの構成を採用することによって、オフィスやホール等に新たな全面ガラス張りの壁面を有効に構成することが可能となるものである。
【００５０】
特に、この実施形態で用いるガラス基材３１は２枚の板材３１ａ、３１ｂの貼り合わせからなり、これを上枠３２や下枠３３を構成する枠材で支持するようにしたものであるが、その際にガラス基材３１の小口から前面に亘るコーナー部に枠材３１ａ、３１ｂを抱かせるための比較的大きなカット等を入れると、加工に手間が掛かる上にガラス基材３１にクラックが入るなどして美観が損なわれるおそれがある。これに対して、本実施形態は、両板材３１ａ、３１ｂの間に内側が大となる段差を設け、枠材３２、３３に設けた凹溝３２ｄ、３３ｄに内側の板材３１ａを嵌め込んで、枠材３２、３３の外面と外側の板材３１ｂとを面一となるように構成しているので、ガラス基材３１の保持のための抱え込み構造を無理なく実現することができ、ガラス基材３１に好ましくない加工を施すことを不要にすることができる。
【００５１】
また、凹部３３ｘ内において、更に巾木４の上面と下枠３３の下面との間にパネル厚み方向の係り合い部Ｙ１を設けているので、下枠３３の下縁が巾木４の側面４ａを覆っている事とも相まって、パネル３の位置決めとともに遮音効果も有効に高めることができる。そして、その係り合い部Ｙ１も、巾木４の内向部である立片４３ｂの内面に下枠３３の外向部である垂下片３３ｃ１の外面をパネル厚み方向に係り合わせるようにしているので、下枠３３がパネル厚み方向外側へ変位することが同時に規制され、パネルの反りを防止してパネル面の面一度を確保することが可能となる。
【００５２】
天井側も同様で、凹部３２ｘ内において、更に天井レール５の下面と上枠３２の上面との間にパネル厚み方向の係り合い部Ｙ２を設けているので、上枠３２の上縁が天井レール５の側面５ａを覆っている事とも相まって、パネル３の位置決めとともに遮音効果も有効に高めることができる。そして、その係り合い部Ｙ２も、天井レール５の内向部である側壁５２ａの内面に上枠３２の外向部である立片３２ｃ１の外面をパネル厚み方向に係り合わせるようにしているので、上枠３２がパネル厚み方向外側へ変位することが同時に規制され、パネルの反りを防止してパネル面の面一度を確保することが可能となる。
【００５３】
そして、本実施形態では面材にガラス基材３１を採用しており、特にこの種の面材は光の反射で面精度の低下がはっきり現われ、面の連続性が途切れる部位も露呈し易いものであるため、本発明を適用することによる効果が極めて顕著に現われるものとなる。
【００５４】
さらに、この間仕切装置は巾木４及び天井レール５に一対のガラス基材３１を突き合わせて配置した両面ガラス構造であるため、特に遮音効果の観点から優れた効果を発揮し得るものとなる。
【００５５】
なお、各部の具体的な構成は、上述した実施形態のみに限定されるものではなく、本発明の趣旨を逸脱しない範囲で種々変形が可能である。
【図面の簡単な説明】
【００５６】
【図１】本発明の一実施形態に係る間仕切装置を示す斜視図。
【図２】同概略的な分解斜視図。
【図３】同実施形態における中段部分のパネルと横枠との関係を示す縦断面図。
【図４】図３の分解斜視図。
【図５】同実施形態におけるパネルの側縁と縦枠の関係並びに支柱への取付構造を示す平断面図。
【図６】図５の分解斜視図。
【図７】同実施形態におけるパネルの下縁と巾木との関係を示す縦断面図。
【図８】図７の分解斜視図。
【図９】同実施形態におけるパネルの上縁と天井レールとの関係を示す縦断面図。
【図１０】図９の分解斜視図。
【図１１】同実施形態におけるパネルの着脱操作を説明する図。
【図１２】同実施形態におけるパネル着脱に必要な条件を説明するための図。
【図１３】同実施形態におけるパネルの側縁と縦枠との取付構造を示す拡大平面図。
【符号の説明】
【００５７】
３…パネル
４…巾木
５…天井レール
３１…面材（ガラス基材）
３１ａ、３１ｂ…枠材
３２…上枠
３２ｘ…凹部
３３…下枠
３３ｘ…凹部
Ｙ１、Ｙ２…係り合い部
【図１】
2008121267.tif 000003
【図２】
2008121267.tif 000004
【図３】
2008121267.tif 000005
【図４】
2008121267.tif 000006
【図５】
2008121267.tif 000007
【図６】
2008121267.tif 000008
【図７】
2008121267.tif 000009
【図８】
2008121267.tif 000010
【図９】
2008121267.tif 000011
【図１０】
2008121267.tif 000012
【図１１】
2008121267.tif 000013
【図１２】
2008121267.tif 000014
【図１３】
2008121267.tif 000015